(57)【要約】【課題】入力された画像が持つ色情報から、その画像が与える印象を表現する言語を的確に提示できるようにする。【解決手段】画像を入力する画像入力部１１と、画像入力部１１が入力した画像から一の色又は複数の色を抽出する色抽出部１３と、一の色又は複数の色を組み合わせた組合せ色と言語を対応付けた色言語テーブル１４を記憶する色言語テーブル記憶部１５と、色抽出部１３が抽出した一の色又は複数の色と、色言語テーブル記憶部１５に記憶された色言語テーブル１４の一の色又は組合せ色を対比し、前記一の色又は複数の色と同一または近似する一の色又は組合せ色を特定し、特定した一の色又は組合せ色に対応付けられた言語を出力する色照合部１６とを備えた画像用言語提示装置１０。【選択図】図１
2017068616.tif 000002
【特許請求の範囲】
【請求項１】
画像を入力する画像入力手段と、
前記画像入力手段が入力した画像から該画像を代表する一の色又は複数の色を抽出する色抽出手段と、
一の色又は複数の色を組み合わせた組合せ色と言語を対応付けた色言語テーブルを記憶する色言語テーブル記憶手段と、
前記色抽出手段が抽出した前記一の色又は複数の色と、前記色言語テーブル記憶手段に記憶された前記色言語テーブルの一の色又は組合せ色を対比し、前記一の色又は複数の色と同一又は近似する一の色又は組合せ色を特定し、特定した一の色又は組合せ色に対応付けられた言語を出力する色照合手段と、
を備えたことを特徴とする画像用言語提示装置。
【請求項２】
前記色抽出手段は、前記画像入力手段が入力した画像に対して一の色又は複数の色を抽出する画像の範囲を特定する画像範囲特定手段を備えたことを特徴とする請求項１記載の画像用言語提示装置。
【請求項３】
前記画像範囲特定手段は、前記画像入力手段が入力した画像の特徴量に基づいて前記一の色又は複数の色を抽出する画像の範囲を特定することを特徴とする請求項２記載の画像用言語提示装置。
【請求項４】
前記色抽出手段は顕著性マップ作成手段を備え、前記画像範囲特定手段は、前記画像入力手段が入力した画像に対して該顕著性マップ作成手段が作成した該画像の特徴量分布を表す顕著性マップに基づいて前記一の色又は複数の色を抽出する画像の範囲を特定することを特徴とする請求項２記載の画像用言語提示装置。
【請求項５】
画像を入力する画像入力手段と、
前記画像入力手段が入力した画像を送信する画像送信手段と、
前記画像送信手段が送信した画像を受信する画像受信手段と、
前記画像受信手段が受信した画像から該画像を代表する一の色又は複数の色を抽出する色抽出手段と、
一の色又は複数の色を組み合わせた組合せ色と言語を対応付けた色言語テーブルを記憶する色言語テーブル記憶手段と、
前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力する色照合手段と、
前記色照合手段が出力した言語を送信する言語送信手段と、
前記言語送信手段が送信した言語を受信する言語受信手段と、
前記言語受信手段が送信した言語を出力する言語出力手段と、
を備えたことを特徴とする画像用言語提示装置。
【請求項６】
前記色抽出手段は、前記画像受信手段が受信した画像に対して一の色又複数の色を抽出する画像の範囲を特定する画像範囲指定手段を備えたことを特徴とする請求項５記載の画像用言語提示装置。
【請求項７】
前記画像範囲特定手段は、前記画像受信手段が受信した画像の特徴量に基づいて前記一の色又は複数の色を抽出する画像の範囲を特定することを特徴とする請求項６記載の画像用言語提示装置。
【請求項８】
前記色抽出手段は顕著性マップ作成手段を備え、前記画像範囲特定手段は、前記画像受信手段が受信した画像に対して該顕著性マップ作成手段が作成した該画像の特徴量分布を表す顕著性マップに基づいて前記一の色又は複数の色を抽出する画像の範囲を特定することを特徴とする請求項６記載の画像用言語提示装置。
【請求項９】
前記色抽出手段による一の色又複数の色の抽出は、減色処理手段により減色処理された画像に基づいて行われることを特徴とする請求項１乃至請求項８のいずれかに記載した画像用言語提示装置。
【請求項１０】
前記色言語テーブルの一の色又組合せ色と対応付けられた言語は形容詞を含むことを特徴とする請求項１乃至請求項９のいずれかに記載した画像用言語提示装置。
【請求項１１】
前記色言語テーブルの一の色又組合せ色は、同一の色相で彩度及び／又は明度が異なる色から構成されることを特徴とする請求項１乃至請求項１０のいずれかに記載した画像用言語提示装置。
【請求項１２】
前記色言語テーブルには、前記一の色又は組合せ色に対応付けられた言語に関連する関連語がさらに対応付けられ、前記色照合手段は、前記特定した一の色又は組合せ色に対応付けられた言語に関連する関連語をさらに出力することを特徴とする請求項１乃至請求項１１のいずれかに記載した画像用言語提示装置。
【請求項１３】
前記色照合手段は、前記特定した一の色又は組合せ色に対応付けられた言語からネットワークを介して検索された関連語をさらに出力することを特徴とする請求項１乃至請求項１２のいずれかに記載した画像用言語提示装置。
【請求項１４】
前記画像用言語提示装置は、前記色照合手段が出力する言語またはその関連語を使用した文章を生成する文章生成手段をさらに備えたことを特徴とする請求項１乃至請求項１３のいずれかに記載した画像用言語提示装置。
【請求項１５】
前記文章生成手段は、予め設定されたテンプレートに基づいて文章を生成することを特徴とする請求項１４記載の画像用言語提示装置。
【請求項１６】
画像入力手段が画像を入力し、
色抽出手段が前記画像入力手段が入力した画像から該画像を代表する一の色又は複数の色を抽出し、
一の色又は複数の色を組み合わせた組合せ色と言語を対応付けた色言語テーブルを色言語テーブル記憶手段に記憶しておき、
色照合手段が、前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力する
ステップを備えたことを特徴とする画像用言語提示方法。
【請求項１７】
画像入力手段が画像を入力し、
画像送信手段が前記画像入力手段が入力した画像を送信し、
画像受信手段が前記画像送信手段が送信した画像を受信し、
色抽出手段が前記画像受信手段が受信した画像から該画像を代表する一の色又は複数の色を抽出し、
一の色又は複数の色を組み合わせた組合せ色と言語を対応付けた色言語テーブルを色言語テーブル記憶手段に記憶しておき、
色照合手段が、前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力し、
言語送信手段が前記色照合手段が出力した言語を送信し、
言語受信手段が前記言語送信手段が送信した言語を受信し、
前記言語出力手段が前記言語受信手段が受信した言語を出力する
ステップを備えたことを特徴とする画像用言語提示方法。
【請求項１８】
請求項１６又は請求項１７記載の画像用言語提示方法をコンピュータに実行させるプログラム。
【発明の詳細な説明】
【技術分野】
【０００１】
本発明は、画像についてその画像が人に与える印象を表現する言語を提示する画像用言語提示装置、画像用言語提示方法及びプログラムに関するものである。
【背景技術】
【０００２】
色彩が人に対してどのような印象、すなわち心理的効果を与えるかについては、種々の研究、調査がなされている。その代表的なものとして、特公昭５６−４６０８２号公報に示されているカラーイメージスケールがある。このカラーイメージスケールは、イメージの判断基準であるウオーム（WARM）−クール（COOL）、ソフト（SOFT）−ハード（HARD）の座標軸上に、単色あるいは配色と、その色が与える印象を表現した言語を重畳配置等したものである。
そして、特開２０００−５７１５３号公報（特許文献１）には、画像の特徴を表す付加情報の一つとして、上記カラーイメージスケールを利用して色彩と言語の関係を定義しておき、この付加情報を画像データに付加し、付加情報から画像が検索できるデータ検索方法が開示されている。
また、画像の色情報を解析し、解析された色から連想されるテキストを生成する装置も提案されている。例えば、特開２０１４−１６５６６５号公報（特許文献２）には、画像データを複数の領域に分割し、分割した領域の少なくとも一つの領域からエッジ情報と色情報を抽出し、これからテキストを生成する画像処理装置が開示されている。
【０００３】
しかしながら、特許文献１のデータ検索方法は、画像を検索するためにカラーイメージスケールを利用するものであり、画像からその画像に対応した言語を生成するものではない。
また、特許文献２の画像処理方法においては、色情報抽出部が抽出する色情報が分割された領域や画像データ全体の代表色であり、色情報から直接連想される「赤」、「青い」のような単語しか生成できず、画像が持つ色情報から、その画像が与える印象を表現する言語を的確に生成できないという問題がある。
【先行技術文献】
【特許文献】
【０００４】
【特許文献１】特開２０００−５７１５３号公報
【特許文献２】特開２０１４−１６５６６５号公報
【発明の概要】
【発明が解決しようとする課題】
【０００５】
本発明が解決しようとする課題は、入力された画像が持つ色情報から、その画像が与える印象を表現する言語を的確に提示できるようにすることである。
【課題を解決するための手段】
【０００６】
本発明は、画像を入力する画像入力手段と、前記画像入力手段が入力した画像から該画像を代表する一の色又は複数の色を抽出する色抽出手段と、一の色又は複数の色を組み合わせた組合せ色と言語を対応付けた色言語テーブルを記憶する色言語テーブル記憶手段と、前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力する色照合手段とを備えた画像用言語提示装置を提供して、上記課題を解決するものである。
【０００７】
本発明は、前記色抽出手段は前記画像入力手段が入力した画像に対して一の色又は複数の色を抽出する画像の範囲を特定する画像範囲特定手段を備えた画像用言語提示装置を提供して、上記課題を解決するものである。
【０００８】
本発明は、前記画像範囲特定手段は、前記画像入力手段が入力した画像の特徴量に基づいて前記一の色又は複数の色を抽出する画像の範囲を特定する画像用言語提示装置を提供して、上記課題を解決するものである。
【０００９】
本発明は、前記色抽出手段は顕著性マップ作成手段を備え、前記画像範囲特定手段は前記画像入力手段が入力した画像に対して該顕著性マップ作成手段が作成した該画像の特徴量分布を表す顕著性マップに基づいて前記一の色又は複数の色を抽出する画像の範囲を特定する画像用言語提示装置を提供して、上記課題を解決するものである。
【００１０】
本発明は、画像を入力する画像入力手段と、前記画像入力手段が入力した画像を送信する画像送信手段と、前記画像送信手段が送信した画像を受信する画像受信手段と、前記画像受信手段が受信した画像から該画像を代表する一の色又は複数の色を抽出する色抽出手段と、一の色又は複数の色を組み合わせた組合せ色と言語を対応付けた色言語テーブルを記憶する色言語テーブル記憶手段と、前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力する色照合手段と、前記色照合手段が出力した言語を送信する言語送信手段と、前記言語送信手段が送信した言語を受信する言語受信手段と、前記言語受信手段が送信した言語を出力する言語出力手段とを備えた画像用言語提示装置を提供して、上記課題を解決するものである。
【００１１】
本発明は、前記色抽出手段は前記画像受信手段が受信した画像に対して一の色又は複数の色を抽出する画像の範囲を特定する画像範囲特定手段を備えた画像用言語提示装置を提供して、上記課題を解決するものである。
【００１２】
本発明は、前記画像範囲特定手段は、前記画像受信手段が受信した画像の特徴量に基づいて前記一の色又は複数の色を抽出する画像の範囲を特定する画像用言語提示装置を提供して、上記課題を解決するものである。
【００１３】
本発明は、前記色抽出手段は顕著性マップ作成手段を備え、前記画像範囲特定手段は、前記画像受信手段が受信した画像に対して該顕著性マップ作成手段が作成した該画像の特徴量分布を表す顕著性マップに基づいて前記一の色又は複数の色を抽出する画像の範囲を特定する画像用言語提示装置を提供して、上記課題を解決するものである。
【００１４】
本発明は、前記色抽出手段による一の色又複数の色の抽出は減色処理手段により減色処理された画像に基づいて行われる画像用言語提示装置を提供して、上記課題を解決するものである。
【００１５】
本発明は、前記色言語テーブルの一の色又組合せ色と対応付けられた言語は形容詞を含む画像用言語提示装置を提供して、上記課題を解決するものである。
【００１６】
本発明は、前記色言語テーブルの一の色又組合せ色は、同一の色相で彩度及び／又は明度が異なる色から構成される画像用言語提示装置を提供して、上記課題を解決するものである。
【００１７】
本発明は、前記色言語テーブルには前記一の色又は組合せ色に対応付けられた言語に関連する関連語がさらに対応付けられ、前記色照合手段は前記特定した一の色又は組合せ色に対応付けられた言語に関連する関連語をさらに出力する画像用言語提示装置を提供して、上記課題を解決するものである。
【００１８】
本発明は、前記色照合手段は、前記特定した一の色又は組合せ色に対応付けられた言語からネットワークを介して検索された関連語をさらに出力する画像用言語提示装置を提供して、上記課題を解決するものである。
【００１９】
本発明は、前記画像用言語提示装置は前記色照合手段が出力する言語またはその関連語を使用した文章を生成する文章生成手段をさらに備えた画像用言語提示装置を提供して、上記課題を解決するものである。
【００２０】
本発明は、前記文章生成手段は、予め設定されたテンプレートに基づいて文章を生成する画像用言語提示装置を提供して、上記課題を解決するものである。
【００２１】
本発明は、画像入力手段が画像を入力し、色抽出手段が前記画像入力手段が入力した画像から該画像を代表する一の色又は複数の色を抽出し、一の色又は複数の色を組み合わせた組合せ色と言語を対応付けた色言語テーブルを色言語テーブル記憶手段に記憶しておき、色照合手段が、前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力するステップを備えた画像用言語提示方法を提供して、上記課題を解決するものである。
【００２２】
本発明は、画像入力手段が画像を入力し、画像送信手段が前記画像入力手段が入力した画像を送信し、画像受信手段が前記画像送信手段が送信した画像を受信し、色抽出手段が前記画像受信手段が受信した該画像を代表する一の色又は画像から複数の色を抽出し、一の色又は複数の色を組み合わせた組合せ色と言語を対応付けた色言語テーブルを色言語テーブル記憶手段に記憶しておき、色照合手段が、前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力し、言語送信手段が前記色照合手段が出力した言語を送信し、言語受信手段が前記言語送信手段が送信した言語を受信し、前記言語出力手段が前記言語受信手段が受信した言語を出力するステップを備えた画像用言語提示方法を提供して、上記課題を解決するものである。
【００２３】
本発明は、前記画像用言語提示方法をコンピュータに実行させるプログラムを提供して、上記課題を解決するものである。
【発明の効果】
【００２４】
本発明の画像用言語提示装置においては、色抽出手段が画像入力手段から入力された画像から該画像を代表する一の色又は複数の色を抽出し、色照合手段が、前記色抽出手段から抽出され前記一の色又は複数の色と、色言語テーブル記憶手段に記憶された色言語テーブルの一の色又は組合せ色を対比し、前記一の色又は複数の色と同一または近似する一の色又は組合せ色を特定し、特定した一の色又は組合せ色に対応付けられた言語を出力するため、入力された画像が持つ色情報から、その画像が与える印象を表現する言語を的確に提示できるという効果を奏する。
【００２５】
本発明の画像用言語提示装置においては、前記色抽出手段は、前記画像入力手段が入力した画像に対して一の色又は複数の色を抽出する画像の範囲を特定する画像範囲特定手段を備えているため、入力された画像の特定された範囲の画像が持つ色情報から、その画像が与える印象を表現する言語を的確に提示できるという効果を奏する。
【００２６】
本発明の画像用言語提示装置においては、前記画像範囲特定手段は、前記画像入力手段が入力した画像の特徴量に基づいて前記一の色又は複数の色を抽出する画像の範囲を特定するため、入力された画像の特徴量に基づいて特定された範囲の画像が持つ色情報から、その画像が与える印象を表現する言語を的確に提示できるという効果を奏する。
【００２７】
本発明の画像用言語提示装置においては、前記色抽出手段は顕著性マップ作成手段を備え、前記画像範囲特定手段は、前記画像入力手段が入力した画像に対して該顕著性マップ作成手段が作成した該画像の特徴量分布を表す顕著性マップに基づいて前記一の色又は複数の色を抽出する画像の範囲を特定するため、入力された画像のうち注意を向けられやすい画像部分が持つ色情報から、その画像が与える印象を表現する言語を的確に提示できるという効果を奏する。
【００２８】
本発明の画像用言語提示装置においては、画像受信手段が画像入力手段より入力されて画像送信手段が送信した画像を受信し、色抽出手段が前記画像受信手段により受信された画像から該画像を代表する一の色又は複数の色を抽出し、色照合手段が、前記色抽出手段から抽出され前記一の色又は複数の色と、色言語テーブル記憶手段に記憶された色言語テーブルの一の色又は組合せ色を対比し、前記一の色又は複数の色と同一または近似する一の色又は組合せ色を特定し、特定した一の色又は組合せ色に対応付けられた言語を出力し、この言語を言語送信手段が送信して言語受信手段が受信し、言語出力手段が言語受信手段により受信された言語を出力するため、ネットワーックを利用して、入力された画像が持つ色情報から、その画像が与える印象を表現する言語を的確に提示できるという効果を奏する。
【００２９】
本発明の画像用言語提示装置においては、前記色抽出手段は前記画像受信手段が受信した画像に対して一の色又複数の色を抽出する画像の範囲を特定する画像範囲特定手段を備えているため、ネットワーックを利用して、入力された画像の指定された範囲の画像が持つ色情報から、その画像が与える印象を表現する言語を的確に提示できるという効果を奏する。
【００３０】
本発明の画像用言語提示装置においては、前記画像範囲特定手段は、前記画像受信手段が受信した画像の特徴量に基づいて前記一の色又は複数の色を抽出する画像の範囲を特定するため、入力された画像の特徴量に基づいて特定された範囲の画像が持つ色情報から、その画像が与える印象を表現する言語を的確に提示できるという効果を奏する。
【００３１】
本発明の画像用言語提示装置においては、前記色抽出手段は顕著性マップ作成手段を備え、前記画像範囲特定手段は、前記画像受信手段が受信した画像に対して該顕著性マップ作成手段が作成した該画像の特徴量分布を表す顕著性マップに基づいて前記一の色又は複数の色を抽出する画像の範囲を特定するため、ネットワーックを利用して、入力された画像のうち注意を向けられやすい画像部分が持つ色情報から、その画像が与える印象を表現する言語を的確に提示できるという効果を奏する。
【００３２】
本発明の画像用言語提示装置においては、前記色抽出手段による一の色又複数の色の抽出は、減色処理手段により行われるため、さらに、前記色抽出手段による一の色又複数の色の抽出が的確に行えるという効果を奏する。
【００３３】
本発明の画像用言語提示装置においては、前記色言語テーブルの一の色又組合せ色と対応付けられた言語は形容詞を含むため、色照合手段から、色が与える印象を表現する言語より的確に出力できるという効果を奏する。
【００３４】
本発明の画像用言語提示装置においては、前記色言語テーブルの一の色又組合せ色は、同一の色相で彩度及び／又は明度が異なる色から構成されるため、色照合手段から、色が与える印象を表現する言語より的確に出力できるという効果を奏する。
【００３５】
本発明の画像用言語提示装置においては、前記色言語テーブルには前記一の色又は組合せ色に対応付けられた言語に関連する関連語がさらに対応付けられ、前記色照合手段は、前記特定した一の色又は組合せ色に対応付けられた言語に関連する関連語をさらに出力するため、さらに、入力された画像が持つ色情報から、その画像が与える印象を表現する言語を幅広く提示できるという効果を奏する。
【００３６】
本発明の画像用言語提示装置においては、前記色照合手段は、前記特定した一の色又は組合せ色に対応付けられた言語からネットワークを介して検索された関連語をさらに出力するため、さらに、入力された画像が持つ色情報から、その画像が与える印象を表現する言語を幅広く提示できるという効果を奏する。
【００３７】
本発明の画像用言語提示装置においては、前記画像用言語提示装置は、前記色照合手段が出力する言語またはその関連語を使用した文章を生成する文章生成手段をさらに備えているため、さらに、入力された画像が持つ色情報から、その画像が与える印象を表現する言語を使用した文章が自動的に作成でき、文章作成の負荷が軽減されるという効果を奏する。
【００３８】
本発明の画像用言語提示装置においては、前記文章生成手段は、予め設定されたテンプレートに基づいて文章を生成するため、さらに、入力された画像が持つ色情報から、その画像が与える印象を表現する言語を使用した文章が自動的に作成でき、文章作成の負荷が軽減されるという効果を奏する。
【００３９】
本発明の画像用言語提示方法においては、色抽出手段が、画像入力手段が入力した画像から該画像を代表する一の色又は複数の色を抽出し、色照合手段が、前記色抽出手段が抽出した前記一の色又は複数の色と、色言語テーブル記憶手段に記憶された色言語テーブルの一の色又は組合せ色を対比し、前記一の色又は複数の色と同一または近似する一の色又は組合せ色を特定し、特定した一の色又は組合せ色に対応付けられた言語を出力するため、入力された画像が持つ色情報から、その画像が与える印象を表現する言語を的確に提示できるという効果を奏する。
【００４０】
本発明の画像用言語提示方法においては、画像受信手段が画像入力手段より入力された画像送信手段が送信した画像を受信し、色抽出手段が前記画像受信手段が受信した画像から該画像を代表する一の色又は複数の色を抽出し、色照合手段が、前記色抽出手段が抽出した前記一の色又は複数の色と、前記色言語テーブル記憶手段に記憶された前記色言語テーブルの一の色又は組合せ色を対比し、前記一の色又は複数の色と同一または近似する一の色又は組合せ色を特定し、特定した一の色又は組合せ色に対応付けられた言語を出力し、この言語を言語送信手段が送信して言語受信手段が受信し、言語出力手段が言語受信手段により受信された言語を出力するため、ネットワーックを利用して、入力された画像が持つ色情報から、その画像が与える印象を表現する言語を的確に提示できるという効果を奏する。
【００４１】
本発明のプログラムは、前記画像用言語提示方法と同様の効果を奏する。
【図面の簡単な説明】
【００４２】
【図１】本発明の画像用言語提示装置の一実施形態の構成を示すブロック図である。
【図２】本発明の画像用言語提示装置の他の実施形態の構成を示すブロック図である。
【図３】画像用言語提示装置１０の色抽出部１３の構成を示すブロック図である。
【図４】減色処理部１３ｄによる減色処理の対象となる画像の具体例を示す説明図である。
【図５】図４に示す画像の減色処理により減色された一色の単色を示す説明図である。
【図６】図４に示す画像の減色処理により減色された複数の単色を示す説明図である。
【図７】色言語テーブル１４を形成するためのカラーイメージスケールの具体例を説明した説明図である。
【図８】色言語テーブル１４を形成するためのカラーイメージスケールの具体例を説明した説明図である。
【図９】カラーイメージスケールの他の例を示す説明図である。
【図１０】カラーイメージスケールの他の例を示す説明図である。
【図１１】図８のカラーイメージスケール７０から形成される色言語テーブル１４の例を説明するための説明図である。
【図１２】単色１Ｄ１４ｂで特定される配色１〜３がどのような単色からなるかを表す単色テーブルの例を示す説明図である。
【図１３】画像用言語提示装置１０の動作を示すフローチャートである。
【図１４】色抽出部１３における減色処理の対象となる画像の具体例を示す説明図である。
【図１５】図１４に示す画像に対する減色処理により減色された複数の単色を示す説明図である。
【図１６】色照合部１６が図１５に示す複数の単色と同一又は近似する組合せ色として特定した組合せ色とそれに対応付けられた言語を示した説明図である。
【図１７】画像用言語提示装置２０の動作を示すフローチャートである。
【発明を実施するための形態】
【００４３】
［画像用言語提示装置の構成］
図１は、本発明の画像用言語提示装置の一実施形態の構成を示すブロック図である。図において、１０は画像用言語提示装置、１１は画像入力部、１２は画像保存部、１３は色抽出部、１４は色言語テーブル、１５は色言語テーブル記憶部、１６は色照合部、１７は文章生成部、１８は表示部である。
図に示すように、画像用言語提示装置１０は、画像入力部１１、画像保存部１２、色抽出部１３、色言語テーブル記憶部１５、色照合部１６、文章生成部１７、表示部１８等から構成される。
【００４４】
画像入力部１１は、カメラやスキャナー等から構成され、対象物を撮影したり、印刷された画像等を読み取ったりして、画像を入力する。
画像保存部１２は、画像入力部１１から入力される画像を一時的に保存した後、保存した画像を出力する。
色抽出部１３は、画像保存部１２から送られてくる画像の全体あるいは一部に対して減色処理を施し、その画像全体あるいは一部の画像を代表する一の色（単色）又は複数の色（単色）を抽出する。
色言語テーブル１４は、一の色（単色）又は複数の色（単色）組み合わせた組合せ色と、その組合せ色から連想される言語を対応付けたテーブルであるが、さらに、その言語に関連する関連語や感性表現（以下「関連語」という。）を対応付けてもよい。
色言語テーブル記憶部１５は、色言語テーブル１４を記憶する。
色照合部１６は、色抽出部１３が抽出した一の色（単色）又は複数の色（単色）と、色言語テーブル記憶部１５に記憶された色言語テーブル１４の一の色（単色）又は組合せ色を対比し、色抽出部１３が抽出した一の色（単色）又は複数の色（単色）と同一または近似する色言語テーブル１４の一の色（単色）又は組合せ色を特定し、特定した一の色（単色）又は組合せ色に対応付けられた言語及びその関連語を出力する。
文章生成部１７は、色照合部１６が出力した言語あるいはその関連語を使用したキャッチコピー等の文章を生成して出力する。
表示部１８はディスプレイ等から構成され、色照合部１６が出力した言語及び文章生成部１７から出力される文章を表示する。
なお、色照合部１６と、外部の関連語検索サーバー（図示せず）とをネットワークを介して接続し、この関連語検索サーバーにより色照合部１６が出力した言語に関連する関連語を検索し、検索した関連語を色照合部１６から出力してもよい。
【００４５】
図２は、本発明の画像用言語提示装置の他の実施形態の構成を示すブロック図である。図において、２０は画像用言語提示装置、２１ａ、２１ｂは通信回線、３０は端末装置、３１は画像入力部、３２は画像保存部、３７は文字列保存部、３８は表示部、３９ａは送信部、３９ｂは受信部、４０はサーバー、４２は画像保存部、４３は色抽出部、４４は色言語テーブル、４５は色言語テーブル記憶部、４６は色照合部、４７は文章生成部、４９ａは送信部、４９ｂは受信部である。
図に示すように、画像用言語提示装置２０は、端末装置３０、サーバー４０と両者を接続する通信回線２１ａ、２１ｂとから構成され、端末装置３０は、画像入力部３１、画像保存部３２、文字列保存部３７、表示部３８、送信部３９ａ、受信部３９ｂ等から構成され、サーバー４０は、画像保存部４２、色抽出部４３、色言語テーブル記憶部４５、色照合部４６、文章生成部４７、送信部４９ａ、受信部４９ｂ等から構成される。
【００４６】
端末装置３０は、スマートホーン、タブレット等の携帯端末、パソコン等から構成される。
画像入力部３１は、端末装置３０に取り付けられたカメラ（例えばスマートホーンに搭載されたカメラ）やスキャナー（例えばパソコンに接続されたスキャナー）等から構成され、対象物を撮影したり、印刷された画像等を読み取ったりして、画像を入力する。
画像保存部３２は、画像入力部３１から入力される画像を一時的に保存した後、保存した画像を送信部３９ａに送る。
送信部３９ａは、画像保存部３２から送られてくる画像を、通信回線２１ａを介してサーバー４０に送信する。
サーバー４０の受信部４９ｂは、端末装置３０から送信される画像を受信し、受信した画像を画像保存部４２に送る。
画像保存部４２は、受信部４９ｂから送られてくる画像を一時的に保存した後、保存した画像を色抽出部４３に送る。
色抽出部４３、色言語テーブル４４、色言語テーブル記憶部４５、色照合部４６及び文章生成部４７は、画像用言語提示装置１０の色抽出部１３、色言語テーブル１４、色言語テーブル記憶部１５、色照合部１６及び文章生成部１７と同じ構成・機能を有する。
送信部４９ａは、色照合部４６から出力される言語及びその関連語と文章生成部４７から出力される文章を、通信回線２１ｂを介して端末装置３０に送信する。
端末装置３０の受信部３９ｂは、サーバー４０から送信される言語、その関連語及び文章を受信し、受信した言語、その関連語及び文章を文字列保存部３７に送る。
文字列保存部３７は、受信部３９ｂから送られてくる言語、その関連語及び文章を一時的に保存した後、保存した言語、その関連語及び文章を表示部３８に送る。
表示部３８はディスプレイ等から構成され、文字列保存部３７から送られてくる言語、その関連語及び文章、すなわち、サーバー４０の組合せ色照合部４６により特定された組合せ色に対応付けられた言語、その関連語及び文章生成部４７が生成した文章を表示する。
通信回線５０ａ、５０ｂは、インターネットあるいは専用回線から構成され、端末装置３０とサーバー４０を接続する。
なお、画像用言語提示装置１０と同様に、色照合部４６と、外部の関連語検索サーバー（図示せず）とをネットワークを介して接続し、この関連語検索サーバーにより色照合部４６が出力した言語に関連する関連語を検索し、検索した関連語を色照合部４６から出力してもよい。
【００４７】
［色抽出部１３］
図３は、画像用言語提示装置１０の色抽出部１３の構成を示すブロック図であり、図中、１３ａは顕著性マップ作成部、１３ｂは画像範囲特定部、１３ｃは画像範囲指定部、１３ｄは減色処理部である。
顕著性マップ作成部１３ａは、画像保存部１２から送られてくる画像に対して、注意の向けられやすさ（顕著性）の分布を表した顕著性マップを作成する。すなわち、顕著性マップ作成部１３ａは、画像保存部１２からの画像に対して、色差、輝度、エッジの向き等について低レベルでの特徴量を算出してその分布を表した特徴マップ（色差の特徴マップ、輝度の特徴マップ、エッジの向きの特徴マップ等）を作成し、作成した各特徴マップを合成して顕著性マップを作成する。
画像範囲指定部１３ｃは、オペレータの操作等により、減色処理部１３ｄにおいて減色処理を施す画像の範囲を指定する。
画像範囲特定部１３ｂは、画像保存部１２から送られてくる画像に対して、減色処理部１３ｄが減色処理を行う範囲（画像全体又は画像の一部）を特定する。画像範囲特定部１３ｂが特定する画像の範囲は、顕著性マップ作成部１３ａが作成した顕著性マップに基づき特定される範囲、あるいは、画像範囲指定部１３ｃにより指定された範囲となる。
減色処理部１３ｄは、画像範囲特定部１３ｂにより特定される範囲の画像に対して、減色処理を行い、その画像を代表する一の色（単色）又は複数の色（単色）を特定する。
なお、色抽出部１３による一の色（単色）又は複数の色（単色）の特定は、減色処理した画像から一の色（単色）又は複数の色（単色）を抽出（例えば５色に減色処理した画像から一色又は３色を抽出）することにより行ってもよい。
【００４８】
［減色処理部１３ｄによる減色処理］
減色処理部１３ｄは、画像範囲特定部１３ｂが特定した範囲の画像に対して減色処理を行い、その画像を代表する複数の単色、例えば３色の単色を抽出する。
減色処理部１３ｄによる減色処理は、例えばｋ−ｍｅａｎｓ法により行う。
具体的には、画像をＮ色に減色（画像を代表するＮ色を抽出）する場合、画像からランダムにＮ個の代表色を選定し、各画素について一番近い代表色を選んで全画素をＮ個のグループに分割し、分割した各グループの各画素の平均色を新たな代表色として再度全画素をＮ個のグループに分割し、この代表色によるグループへの分割、分割したグループの平均色を代表色に置き換えることを繰り返すことにより、Ｎ色に減色する。
【００４９】
図４〜図６は、減色処理部１３ｄによる減色処理の具体例を説明する説明図であり、図４は、減色処理の対象となる画像、すなわち、画像範囲特定部１３ｂが特定した範囲の画像であり、図５は減色処理により一色に減色された色（単色）を示し、図６は減色処理により複数の色（３色）に減色された色（単色）を示している。
図４に示すように減色処理の対象となるのはあひるのイラスト画像５０である。このイラスト画像５０は、くちばし部分５０ａが赤っぽい色で、目の部分５０ｂが黒っぽい色で、残りの部分が黄色っぽい色となっている。
このイラスト画像５０を１色に減色処理をすると、図５に示すように黄色みがかった茶の単色５１が形成される。
また、このイラスト画像５０を３色に減色処理をすると、図６に示すようにうす茶の単色５２ａ、黄色の単色５２ｂ、茶色の単色５２ｃとなり、これらの単色を組合せた組合せ色５２が形成される。
【００５０】
［色言語テーブル１４］
図７、図８は、色言語テーブル１４を形成するためのカラーイメージスケールの具体例を説明した説明図であり、図中、６０、７０はカラーイメージスケール、６１〜６３はカラーイメージスケール６０上に配置した単色、７１〜７４は、カラーイメージスケール７０上に配置した３色の組合せ色（配色）である。
図７のカラーイメージスケール６０は、イメージの判断基準であるウオーム（WARM）−クール（COOL）、ソフト（SOFT）−ハード（HARD）の座標軸上に、そのイメージに対応する一の色（１色の単色）と言語を配置したものである。
例えば、カラーイメージスケール６０の左上（第２象限）には、単色６１、６２、６３他が配置され、単色６１に対応する言語が「甘い」、単色６２に対応する言語が「プリティな」、単色６３に対応する言語が「おめでたい」となっている。
また、図８のカラーイメージスケール７０は、イメージの判断基準であるウオーム（WARM）−クール（COOL）、ソフト（SOFT）−ハード（HARD）の座標軸上に、そのイメージに対応する３色の組合せ色（配色）と言語を配置したものである。
例えば、カラーイメージスケール７０の左上（第２象限）には、組合せ色７１、７２、７３、７４他が配置され、組合せ色７１に対応する言語が「あどけない」、組合せ色７２に対応する言語が「かわいい」、組合せ色７３に対応する言語が「子供らしい」、組合せ色７４に対応する言語が「ポップな」となっている。そして、組合せ色７１は、単色７１ａ、単色７１ｂ及び単色７１ｃを組み合わせたものとなっている。
【００５１】
カラーイメージスケール６０、７０において、一の色（１色の単色）あるいは３色の組合せ色に対応付けられた言語には、「甘い」、「かわいい」等の形容詞が多く含まれている。これは、形容詞は、色が与える印象を表現する言語として最も適しているからである。
また、カラーイメージスケール６０に配置される単色、あるいは、カラーイメージスケール７０に配置される組合せ色を構成する単色は、色相を基準として、明度と彩度、あるいは明度と彩度の一方を異ならせた色とするのが望ましい。
すなわち、色相を、例えば、赤、黄赤、黄、黄緑、緑、青緑、青、紫青、紫、赤紫、無彩色に分けて、各色相の明度と彩度の両方あるいはその一方を異ならせた色から、カラーイメージスケール６０、７０の単色を構成するのが望ましい。
これは、色が与える印象は、その色がもつ色相、明度、彩度により異なるからである。
なお、図７に示すカラーイメージスケール６０の単色と言語、あるいは、図８に示すカラーイメージスケール７０の組合せ色と言語は、代表的なものだけを示したもので、実際にはさらに細かく単色と言語、あるいは、組合せ色と言語が配置される。
【００５２】
図９、図１０は、３色の組合せ色と言語を対応付けたカラーイメージスケールの他の例を示す説明図であり、図中、８０、９０はカラーイメージスケール、８１、９１はカラーイメージスケール８０、９０上に配置させた３色の組合せ色（配色）である。
図９に示すカラーイメージスケール８０は、大衆的−高級感、オーソドックス−個性的の座標軸に、図８のカラーイメージスケール７０と同様に、そのイメージに対応する３色の組合せ色（配色）と言語を配置したものである。
例えば、カラーイメージスケール８０の左上（第２象限）には、組合せ色８１他が配置され、組合せ色８１に対応する言語が「落ち着きがある」となっており、組合せ色８１は、単色８１ａ、単色８１ｂ及び単色８１ｃを組み合わせたものとなっている。
このカラーイメージスケール８０は、例えば、自動車の色と言語に適用される。
図１０に示すカラーイメージスケール９０は、フォーマル−カジュアル、静−動の座標軸に、図８、９のカラーイメージスケール７０、８０と同様に、そのイメージに対応する３色の組合せ色（配色）と言語を配置したものである。
例えば、カラーイメージスケール９０の左上（第２象限）には、組合せ色９１他が配置され、組合せ色９１に対応する言語が「エレガント」となっており、組合せ色９１は、単色９１ａ、単色９１ｂ及び単色９１ｃを組み合わせたものとなっている。
このカラーイメージスケール９０は、例えば、ファッション（洋服）の色と言語に適用される。
【００５３】
図１１は、図８のカラーイメージスケール７０から形成される色言語テーブル１４の例を説明するための説明図であり、以下、色言語テーブル１４の構成について説明する。
図１１に示すように、色言語テーブル１４においては、組合せ色ＩＤ１４ａ、単色１Ｄ１４ｂ、言語１４ｃ及び関連語１４ｄが対応付けられている。
組合せ色ＩＤ１４ａは、カラーイメージスケール７０に配置される組合せ色を識別するためのＩＤであり、単色１Ｄ１４ｂは、単色である配色１、配色２及び配色３の各単色ＩＤから構成される。
例えば、カラーイメージスケール７０の組合せ色７１の組合せ色ＩＤ１４ａは「A00100」であり、単色１Ｄ１４ｂにおいて、配色１である単色７１ａの単色ＩＤは「c3255」、配色２である単色７１ｂの単色ＩＤは「c4529」、配色３である単色７１ｃの単色ＩＤは「c5043」であり、組合せ色７１に対応する言語１４ｃは「あどけない」となる。
関連語１４ｄは、言語１４ｃに関連する言語であり、例えば言語「あどけない」の関連語としては「あどけなさ」が挙げられる。
なお、色言語テーブル１４が図７のカラーイメージスケール６０から形成される場合は、カラーイメージスケール６０に配置された単色と言語がそのまま対応付けられた色言語テーブル１４が形成される。
【００５４】
図１２は、単色１Ｄ１４ｂで特定される配色１〜３がどのような単色からなるかを表す単色テーブルの例を示す説明図であり、図中、１００は単色テーブル、１００ａは単色ＩＤ、１００ｂは色値である。
単色ＩＤは、組合せ色ＩＤ１４ａで特定される配色１〜３を形成する単色を識別するためのＩＤである。また、色値１００ｂは、単色ＩＤで特定される単色を、色空間における座標値で表したものであり、図１２の単色テーブル１００においては、ＸＹＺ表色系（ｘｙＹ表色系）のＣＥＩｘｙ色度図におけるｘ、ｙの値となっている。
例えば、図８のカラーイメージスケール７０における組合せ色７１を構成する単色７１ａ、単色７１ｂ、単色７１ｃの単色ＩＤは各々「c3255」、「c4529」、「c5043」であり、その色値（ｘ，ｙ）は、各々（0.3219，0.5523）、（0.4501，0.2956）、（0.5027，0.4315）となる。
なお、色値７０ｂを表す色空間は、図１０のＸＹＺ表色系（ｘｙＹ表色系）に限定されるものではなく、ＲＧＢ表色系、Ｌ＊ｕ＊ｖ＊表色系、Ｌ＊ａ＊ｂ＊表色系等の各種表色系が適宜使用される。
【００５５】
［色照合部１６］
色照合部１６は、色抽出部１３が抽出した一の色（単色）又は複数の色（組合せ色）と、色言語テーブル記憶部１５に記憶された色言語テーブル１４の一の色（単色）又は組合せ色の単色同士を対比し、その色値の差（色空間上の距離）が一定の閾値以下となるもの（組合せ色の場合は全ての単色の色値の差が一定の閾値以下となるもの）が存在する色言語テーブル１４の一の色（単色）又は組合せ色を特定する。
例えば、色抽出部１３が抽出した組合せ色が図６に示すような単色５２ａ、単色５２ｂ及び単色５２ｃから構成される組合せ色５１であり、色言語テーブル１４において、組合せ色ＩＤがＮの組合せ色（組合せ色Ｎ）を構成する配色１の単色ＩＤがＮＡ（単色ＮＡ）、配色２の単色ＩＤがＮＢ（単色ＮＢ）、配色３の単色ＩＤがＮＣ（単色ＮＣ）であるとする。
この場合、組合せ色６１の単色と組合せ色Ｎの単色を対比すると、対比する単色の組み合わせは以下の６通りである。
(1)  単色５２ａ−単色ＮＡ、単色５２ｂ−単色ＮＢ、単色５２ｃ−単色ＮＣ
(2)  単色５２ａ−単色ＮＡ、単色５２ｂ−単色ＮＣ、単色５２ｃ−単色ＮＢ
(3)  単色５２ａ−単色ＮＢ、単色５２ｂ−単色ＮＡ、単色５２ｃ−単色ＮＣ
(4)  単色５２ａ−単色ＮＢ、単色５２ｂ−単色ＮＣ、単色５２ｃ−単色ＮＡ
(5)  単色５２ａ−単色ＮＣ、単色５２ｂ−単色ＮＡ、単色５２ｃ−単色ＮＢ
(6)  単色５２ａ−単色ＮＣ、単色５２ｂ−単色ＮＢ、単色５２ｃ−単色ＮＡ
そして、(1)〜(6)の組合せにおいて、対比する単色の色値の差が全て一定の閾値以下となるものが存在すれば、その組合せ色Ｎは、組合せ色５２と同一または近似する組合せ色であるとする。
ここで、単色Ａの色値（ｘＡ，ｙＡ）とし、単色Ｂの色値（ｘＢ，ｙＢ）とすると、単色Ａと単色Ｂの色値の差ΔＣは、以下のようになる。
ΔＣ＝（ｘＡ−ｘＢ）２＋（ｙＡ−ｙＢ）２
このようにして、色照合部１６は、色言語テーブル１４の組合せ色の中から、色抽出部１３が抽出した組合せ色６１と同一または近似する組合せ色を特定する。
【００５６】
この後、色照合部１６は、組合せ色５１と同一または近似する組合せ色として特定した組合せ色に対応付けられた言語及びその関連語を出力する。
例えば、組合せ色５１と同一または近似する組合せ色として特定したものが、カラーイメージスケール７０（図８）の組合せ色７２、７３、７４であるとすると、色照合部１６は、これらの組合せ色７２、７３、７４に対応付けられた言語「かわいい」、「子供らしい」、「ポップな」及びその関連語「かわいらしさ」、「子供」、「ポップ」を出力する。
なお、色言語テーブル１４において、一の色（単色）と言語が対応付けられている場合色照合部１６は、色抽出部１３が抽出した一の色（単色）と色言語テーブル１４の一の色（単色）を対比し、その色値の差が一定の閾値以下となる色言語テーブル１４の一の色（単色）を特定し、その特定した一の色（単色）に対応付けられた言語を出力する。
【００５７】
［文章生成部１６］
文章生成部１６は、各種文章のテンプレートを記憶し、色照合部１６が出力する言語（その関連語を含む）を使用したキャッチコピー等の文章を生成して出力する。
例えば、色照合部１６から言語「かわいい」、「子供らしい」、「ポップな」等が出力された場合、文章生成部１６は、キャッチコピーとして「かわいらしさをあなたに」、「ポップで子供らしいスタイル」等の文章を生成して出力する。
【００５８】
そして、色照合部１６から出力された言語「かわいい」、「子供らしい」、「ポップな」及びその関連語、文章生成部１６が出力する文章「かわいらしさをあなたに」、「ポップで子供らしいスタイル」等は、表示部１８に表示される。
【００５９】
次に、画像用言語提示装置１０、２０の動作を説明する。
［画像用言語提示装置１０の動作］
図１３は、画像用言語提示装置１０の動作を示すフローチャートであり、図１４は、色抽出部１３における減色処理の対象となる画像の具体例を示す説明図であり、図１５は、図１４に示す画像に対する減色処理により減色された複数の単色を示す説明図であり、図１６は、色照合部１６が図１５に示す複数の単色と同一又は近似する組合せ色として特定した組合せ色とそれに対応付けられた言語を示した説明図である。
以下図１３に基づいて画像用言語提示装置１０の動作を、図１４〜図１６に示す具体例により説明する。
【００６０】
まず、画像入力部１１が画像を入力する（Ｓ１０）。具体的には、画像入力部１１はカメラであり、カメラが撮影したもみじの風景画像を入力する。
次いで、画像保存部１２が、画像入力部１１から入力された風景画像を一時的に保存する（Ｓ１１）。
次いで、色抽出部１３において、画像範囲特定部１３ｂが、画像保存部１２から送られてくる風景画像に対して、減色処理部１３ｃが減色処理を行う範囲（風景画像全体又は風景画像の一部）を特定する（Ｓ１２）。
すなわち、画像範囲特定部１３ｂは、顕著性マップ作成部１３ａが作成した風景画像についての顕著性マップに基づき減色処理を行う範囲、あるいは、画像範囲指定部１３ｃにより指定された範囲に基づき減色処理を行う範囲を特定する。
図１４に示す風景画像１０５は、画像範囲特定部１３ｂが特定した範囲の画像である。
次いで、減色処理部１３ｄが、画像範囲特定部１３ｂが特定した範囲の風景画像１０５に対して減色処理を行い、風景画像１０５を代表する一の色又は複数の色を抽出する（Ｓ１３）。ここでは、減色処理部１３ｄが３色の単色を抽出する。
図１５に示す組合せ色１１０は、減色処理部１３ｄが風景画像１０５に対して減色処理を行い抽出した３色の単色１１０ａ、単色１１０ｂ、単色１１０ｃを組み合わせたものである。
【００６１】
次いで、色照合部１６が、減色処理部１３ｄの減色処理により抽出された一の色又は複数の色と、色言語テーブル記憶部１５に記憶された色言語テーブル１４の一の色又は組合せ色の単色同士を対比する（Ｓ１４）。
ここでは、色照合部１６は、抽出された３色の単色と、色言語テーブル１４の組合せ色の単色同士を対比する
具体的には、色照合部１６が、図１５に示す組合せ色１１０の単色１１０ａ、１１０ｂ、１１０ｃと、色言語テーブル１４の組合せ色の単色を対比する。
次いで、色照合部１６が、色照合部１６が抽出した一の色又は複数の色と同一又は近似する色言語テーブル１４の一の色又は組合せ色を特定する（Ｓ１５）。
ここでは、色照合部１６が、抽出した３色の単色と、色言語テーブル１４の組合せ色の単色同士の色値の差（色空間上の距離）が全て一定の閾値以下となるものが存在する色言語テーブル１４の組合せ色を、抽出された複数の色（３色の単色）と同一又は近似する組合せ色として特定する。
図１６に示す組合せ色１１１、１１２、１１３は、色照合部１６が組合せ色１１０（３色の単色１１０ａ、１１０ｂ、１１０ｃ）と同一又は近似するとして特定した組合せ色である。
この場合、組合せ色１１０を構成する単色１１０ａ、１１０ｂ、１１０ｃと、組合せ色１１１を構成する単色１１１ａ、１１１ｂ、１１１ｃとは、対比する単色の色値の差が全て一定の閾値以下となるものが存在し、組合せ色１１０と組合せ色１１２（単色１１２ａ、１１２ｂ、１１２ｃ）、組合せ色１１０と組合せ色１１３（単色１１３ａ、１１３ｂ、１１３ｃ）においても、対比する単色の色値の差が全て一定の閾値以下となるものが存在する。
【００６２】
次いで、色照合部１６が、組合せ色１１０と同一または近似する組合せ色として特定した組合せ色１１１、１１２、１１３に対応付けられた言語及びその関連語を出力する（Ｓ１６）。組合せ色１１１、１１２、１１３に対応付けられた言語１１１Ａ、１１２Ａ、１１３Ａとその関連語１１１Ｂ、１１２Ｂ、１１３Ｂを図１６に示す。
具体的には、色照合部１６は、組合せ色１１１に対応付けられた言語１１１Ａ「シックな」とその関連語１１１Ｂ「シック」、組合せ色１１２に対応付けられた言語１１２Ａ「くつろいだ」とその関連語１１２Ｂ「くつろぎ」、組合せ色１１３に対応付けられた言語１１３Ａ「ポップな」とその関連語１１３Ｂ「ポップ」を出力する。
次いで、文章生成部１６が、記憶したテンプレートに基づき、組合せ色照合部１６が出力する言語１１１Ａ「シックな」、言語１１２Ａ「くつろいだ」、言語１１３Ａ「ポップな」とその関連語１１１Ｂ「シック」、関連語１１２Ｂ「くつろぎ」、関連語１１３Ｂ「ポップ」を使用したキャッチコピー等の文章を生成して出力する（Ｓ１７）。
具体的には、文章生成部１６は、図１６に示す文章１２０「極上のくつろぎをあなたに」、文章１２１「ポップでシックな季節」等を生成して出力する。
最後に、ディスプレイ等から構成される表示部１８が、色照合部１６が出力した言語１１１Ａ「シックな」、言語１１２Ａ「くつろいだ」、言語１１３Ａ「ポップな」とその関連語１１１Ｂ「シック」、関連語１１２Ｂ「くつろぎ」、関連語１１３Ｂ「ポップ」、及び、文章生成部１７から出力される文章１２０「極上のくつろぎをあなたに」、文章１２１「ポップでシックな季節」等を表示し（Ｓ１７）、処理を終了する。
【００６３】
［画像用言語提示装置２０の動作］
図１７は、画像用言語提示装置２０の動作を示すフローチャートである。以下図１７に基づいて画像用言語提示装置２０の動作を説明する。
まず、端末装置３０において、端末装置３０に取り付けられたカメラ等から構成される画像入力部３１が画像を入力する（Ｓ２０）。
次いで、画像保存部３２が、画像入力部３１から入力された画像を一時的に保存した後、送信部３９ａが、画像保存部３２から送られてくる画像を、通信回線２１ａを介してサーバー４０に送信する（Ｓ２１）。
次いで、サーバー４０の受信部４９ｂが、端末装置３０から送信される画像を受信し、画像保存部４２が、受信部４９ｂから送られてくる画像を一時的に保存する（Ｓ２２）。
【００６４】
次いで、色抽出部４３において、画像保存部４２から送られてくる画像に対して、減色処理を行う範囲（画像全体又は画像の一部）を特定し（Ｓ２３）、特定した範囲の画像に対して減色処理を行い、画像を代表する一の色又は複数の色を抽出する（Ｓ２４）。ここでは、減色処理部１３ｄが複数（３色）の単色を抽出する。
この色抽出部４３における減色処理を施す範囲の特定（Ｓ２３）と減色処理（Ｓ２４）は、画像用言語提示装置１０の色抽出部１３における減色処理を施す範囲の特定と減色処理（図１３のＳ１２、Ｓ１３）と同じである。
次いで、色照合部４６が、色抽出部４３の減色処理により抽出された一の色又は複数の色と、色言語テーブル記憶部４５に記憶された色言語テーブル４４の一の色又は組合せ色の単色同士を対比する（Ｓ２５）、対比した単色同士の色値の差（色空間上の距離）が全て一定の閾値以下となるものが存在する色言語テーブル４４の一の色又は組合せ色を、抽出された一の色又は複数の色（３色の単色）と同一又は近似する一の色又は組合せ色として特定する（Ｓ２６）。
この組合せ色照合部４６における一の色又は組合せ色の対比（Ｓ２５）と一の色又は組合せ色の特定（Ｓ２６）は、画像用言語提示装置１０の色照合部１６における一の色又は組合せ色の対比と一の色又は組合せ色の特定（図１３のＳ１４、Ｓ１５）と同じである。
次いで、色照合部４６が、Ｓ２６で特定した一の色又は組合せ色に対応付けられた言語及びその関連語を出力し（Ｓ２７）、文章生成部４７が、出力された言語及びその関連語を使用したキャッチコピー等の文章を生成して出力する（Ｓ２８）。
この色照合部４６における言語、関連語の出力（Ｓ２７）と文章生成部４７における文章の生成・出力（Ｓ２８）は、画像用言語提示装置１０の組合せ色照合部１６における言語、関連語の出力、文章生成部１７における文章の生成・出力（図１１のＳ１６、Ｓ１７）と同じである。
【００６５】
次いで、サーバー４０の送信部４９ａが、組合せ色照合部４６から出力される言語及びその関連語と文章生成部４７から出力される文章を、通信回線２１ｂを介して端末装置３０に送信し、端末装置３０の受信部３９ｂがこれを受信し、文字列保存部３７が、受信部３９ｂから送られてくる言語、その関連語及び文章を一時的に保存する（Ｓ２９）。
最後に、ディスプレイ等から構成される表示部３８が、文字列保存部３７から送られてくる言語、その関連語及び文章、すなわち、サーバー４０の組合せ色照合部４６により特定された組合せ色に対応付けられた言語、その関連語及び文章生成部４７が生成した文章を表示し（Ｓ３０）、処理を終了する。
【産業上の利用可能性】
【００６６】
本発明の画像用言語提示装置、画像用言語提示方法及びプログラムは、画像についてその画像が人に与える印象を表現する言語を提示する装置等において、入力された画像が持つ色情報から、その画像が与える印象を表現する言語を的確に提示できる。
【符号の説明】
【００６７】
１０  画像用言語提示装置
１１  画像入力部
１２  画像保存部
１３  色抽出部
１３ａ  顕著性マップ作成部
１３ｂ  画像範囲特定部
１３ｃ  画像範囲指定部
１３ｄ  減色処理部
１４  色言語テーブル
１４ａ  組合せ色ＩＤ
１４ｂ  単色１Ｄ
１４ｃ  言語
１４ｄ  関連語
１５  色言語テーブル記憶部
１６  色照合部
１７  文章生成部
１８  表示部
２０  画像用言語提示装置
２１ａ、２１ｂ  通信回線
３０  端末装置
３１  画像入力部
３２  画像保存部
３７  文字列保存部
３８  表示部
３９ａ  送信部
３９ｂ  受信部
４０  サーバー
４２  画像保存部
４３  色抽出部
４４  色言語テーブル
４５  色言語テーブル記憶部
４６  色照合部
４７  文章生成部
４９ａ  送信部
４９ｂ  受信部
５０  イラスト画像
５０ａ  くちばし部分
５０ｂ  目の部分
５１  単色
５２  組合せ色
５２ａ、５２ｂ、５２ｃ  単色
６０  カラーイメージスケール
６１、６２、６３  単色
７０  カラーイメージスケール
７１  組合せ色
７１ａ、７１ｂ、７１ｃ  単色
７２、７３、７４  組合せ色
８０  カラーイメージスケール
８１  組合せ色
８１ａ、８１ｂ、８１ｃ  単色
９０  カラーイメージスケール
９１  組合せ色
９１ａ、９１ｂ、９１ｃ  単色
１００  単色テーブル
１００ａ  単色ＩＤ
１００ｂ  色値
１０５  風景画像
１１０  組合せ色
１１０ａ、１１０ｂ、１１０ｃ  単色
１１１  組合せ色
１１１ａ、１１１ｂ、１１１ｃ  単色
１１１Ａ  言語
１１１Ｂ  関連語
１１２  組合せ色
１１２ａ、１１２ｂ、１１２ｃ  単色
１１２Ａ  言語
１１２Ｂ  関連語
１１３  組合せ色
１１３ａ、１１３ｂ、１１３ｃ  単色
１１３Ａ  言語
１１３Ｂ  関連語
１２０、１２１  文章
【図１】
2017068616.tif 000003
【図２】
2017068616.tif 000004
【図３】
2017068616.tif 000005
【図４】
2017068616.tif 000006
【図５】
2017068616.tif 000007
【図６】
2017068616.tif 000008
【図７】
2017068616.tif 000009
【図８】
2017068616.tif 000010
【図９】
2017068616.tif 000011
【図１０】
2017068616.tif 000012
【図１１】
2017068616.tif 000013
【図１２】
2017068616.tif 000014
【図１３】
2017068616.tif 000015
【図１４】
2017068616.tif 000016
【図１５】
2017068616.tif 000017
【図１６】
2017068616.tif 000018
【図１７】
2017068616.tif 000019